(57)【要約】【課題】緑化に対しても、地山の崩壊の抑止に対しても良好な機能を果たすことができる支圧板と法面保護工法を得ることを課題とする。【解決手段】鋼材を十字型に組み合わせた十字枠と、この十字枠の周囲に取り付けた外枠で構成する。この十字枠の中心に、十字枠の面と直交方向に貫通させてボルト３を開口した支圧板である。この支圧板を使用して、法面を抑え、かつ植生の育成を図る。【選択図】図１
2010138630.tif 000002
【特許請求の範囲】
【請求項１】
鋼材を十字型に組み合わせた十字枠と、
この十字枠の外周先端の間を連結する状態で、十字枠の周囲に取り付けた外枠と、
十字枠の中心に、十字枠の面と直交方向に貫通させてボルト穴とより構成した、
法面支圧板。
【請求項２】
請求項１記載の支圧板を使用し、
法面を削孔して設置したアンカーボルトの露出端を、
ボルト穴から貫通させ、
貫通させたアンカーボルトに取り付けたナットを回転させてアンカーボルトを緊張して支圧板を法面に加圧状態で設置し、
その後、支圧板に開口してある空間、および支圧板の周囲の法面に植生基材を吹き付けて行う、
法面保護工法。
【発明の詳細な説明】
【技術分野】
【０００１】
本発明は、法面支圧板と法面保護工法に関するものである。
【背景技術】
【０００２】
従来から、法面を緑化するための多数の工法と、法面の崩壊を抑制する多数の工法現場で実施化されている。
それらの従来の技術において、法面の緑化を目的とする技術では、法面に設置する枠体の面積はできるだけ小さくして、法面の露出面積を大きくして植生の繁殖面積を広くとることが望まれる。（特許文献１）
一方、法面の崩壊の抑制を目的とする技術では、アンカーの支圧板の面積はできるだけ大きくして、地山を抑えることが望まれる。（特許文献２）
したがって一般には緑化のための枠体と、アンカーの支圧板とは、機能が相反する傾向にあり、両者を供用することは容易ではなく、一般に別個の技術として存在している。
【特許文献１】特開２００４−５２４３５号公報。
【特許文献２】特開２００１−７３３８２号公報。
【発明の開示】
【発明が解決しようとする課題】
【０００３】
本発明は上記のような問題を解決しようとするものであって、緑化に対しても、地山の崩壊の抑止に対しても良好な機能を果たすことができる支圧板と法面保護工法を提供することを課題とする。
【課題を解決するための手段】
【０００４】
上記のような課題を達成する本発明の法面支圧板は、鋼材を十字型に組み合わせた十字枠と、この十字枠の外周先端の間を連結する状態で、十字枠の周囲に取り付けた外枠と、十字枠の中心に、十字枠の面と直交方向に貫通させてボルト穴とより構成したことを特徴としたものである。
さらに本発明の法面保護工法は、記載の支圧板を使用し、法面を削孔して設置したアンカーボルトの露出端を、ボルト穴から貫通させ、貫通させたアンカーボルトに取り付けたナットを回転させてアンカーボルトを緊張して支圧板を法面に加圧状態で設置し、その後、支圧板に開口してある空間、および支圧板の周囲の法面に植生基材を吹き付けて行うことを特徴としたものである。
【発明の効果】
【０００５】
本発明の法面支圧板と法面保護工法は以上説明したようになるから次のような効果を得ることができる。
＜１＞  支圧板が空間の面積が広い部材である。そのために植物の育成を阻害することがなく、良好な緑化を期待することができる。
＜２＞  支圧板が空間の面積が広い部材であるために、軽量であって、一般に足場の悪い法面での作業においても簡単に運びあげて法面に設置することができ、きわめて経済的である。
＜３＞  支圧板が空間の面積が広い部材であるために、柔軟性に富んでおり、アンカーボルトに締め付けて地山の圧着する場合に良好な追従性を示し、地山に多少の凹凸があっても良好に接触を保つことができる。
＜４＞  支圧板が空間の面積が広い部材であるために、植物が育成すると支圧板がその陰に隠れてしまい、外部から目立たなくなって短期間で良好な景観を呈することができる。
＜５＞  支圧板としては広い面積を必要とし、一方、緑化の際にはできるだけ法枠の存在が小さい方が好ましい。その点で本発明の構成によると空間の面積の広い支圧板であるために草木の育成を許容しながら、他方では雪国の「輪かんじき」のような機能によって、有効に地山を抑えることができるものである。
【発明を実施するための最良の形態】
【０００６】
以下図面を参照にしながら本発明の好適な実施の形態を詳細に説明する。
【実施例】
【０００７】
＜１＞支圧板の全体の構成。
まず本発明の支圧板Ａの全体の構成について説明する。
この支圧板Ａは、鋼材を十字型に組み合わせた十字枠１と、この十字枠１の外周先端の間を連結する状態で、十字枠１の周囲に取り付けた外枠２とによって構成する。
【０００８】
＜２＞十字枠。
十字枠１は２本の溝型鋼材を十字型に組み合わせて溶接した部材である。
溝型鋼材として、たとえば断面がＭ字型の鋼材を使用すると、より大きい強度を得ることができる。
この十字枠１が後述するアンカー材４の緊張時に、アンカー材４からの反力を受けるための主材となる。
【０００９】
＜３＞外枠。
十字枠１の外周に矩形の外枠２を取り付ける。
この外枠２は図１の実施例のように、十字枠１の鋼材の先端と先端との間に外枠２の隅部が位置するように配置することができる。このように配置すると、外観は「田」の字の形状を呈することになる。
あるいは十字枠１の鋼材の先端に、外枠２の隅部が位置するように配置することもできる。このように配置すると、ひし形に対角線を加えたような形状を呈する。
本発明の支圧板Ａはこのように中心の十字枠１と、その外周に取り付けた外枠２といった、鋼材だけで構成してある。
そのために、鋼材よりなる枠材以外の部分はすべて空間のまま残っていることになる。
その結果、全体に軽量であり、地山へ取り付けた場合にも面状の板とは異なって地山面を完全に塞いでしまうことがなく、地山の露出割合が大きいという特徴を備えている。
【００１０】
＜４＞ボルト穴。
前記した十字枠１の中心に、十字枠１の面と直交方向に貫通させてボルト穴３を開口する。
ボルト穴３は、後述するアースアンカーなどのアンカー材４の直径よりも多少大きい直径の穴であり、支圧板Ａを法面に設置する際に、アンカー材４の貫通が容易であるように構成する。
【００１１】
＜５＞施工方法。
次に本発明の支圧板Ａを使用した法面保護工法について説明する。
【００１２】
＜６＞アンカー材の設置。
法面に直交する方向に向けて、アンカー材４を設置するためのアンカー孔５を削孔する。
その穴にアンカー材４を挿入する。
アンカー材４は中空の鋼棒であり、鋼棒の全体、あるいは少なくともアンカー孔５から露出する尾端にはネジを刻設してある。
そしてアンカー材４の先端部分、あるいはアンカー孔５の全体にわたってモルタル６を充填し、このモルタル６によってアンカー材４をアンカー孔５内に固定する。
【００１３】
＜７＞支圧板の設置。
アンカー孔５から露出したアンカー材４の露出端に、前記した支圧板Ａのボルト穴３を貫通させて取り付ける。
そしてボルト穴３を貫通させたアンカー材４の尾端のネジ山にナット７を取り付けて回転させ、所定のトルクに達するまで締め付ける。
すると十字枠１と外枠２より構成した支圧板Ａは法面に加圧状態で押し付けられ、アンカー材４には支圧板Ａを反力とした緊張力が作用する。
この場合に支圧板Ａは十字枠１と外枠２だけで構成したあり、内部の空間が解放されたままであって、法面には広い面で接触しているわけではない。
しかし雪国で使用している「輪かんじき」のように、解放された空間が広くても、中心の十字枠１と、周囲の外枠２だけでも十分にアンカー材４の反力を法面の表面に伝達することができる。
【００１４】
＜８＞植生基材の吹き付け。
支圧板Ａによって確実にアンカー材４の反力を受ける状態ができたら、その後に、支圧板Ａに開口してある空間、および支圧板Ａの周囲の法面に植生基材８を吹き付けを行う。
支圧板Ａには前記したように多くの空間部分が残っているから、植生基材８が支圧板Ａに当たって跳ね返ってしまう確率はすくなく、そのほとんどは確実に地山に吹き付けられる。
その後、時間の経過とともに植生基材８に含まれた種子の育成がすすみ、草木が成長する。
その場合にも前記したように本発明の支圧板Ａは空間が広く開口しているから草木の成長によってすぐに隠れてしまう。
したがって法面を外部から観察した場合に、短期間の内に支圧板Ａが隠れてしまい、早期の良好な景観を得ることができる。
【図面の簡単な説明】
【００１５】
【図１】本発明の支圧板の実施例の説明図。
【図２】本発明の法面保護工法の施工順序の説明図。
【図３】本発明の法面保護工法の施工順序の説明図。
【図４】本発明の法面保護工法の施工順序の説明図。
【図５】本発明の法面保護工法の施工順序の説明図。
【図６】本発明の法面保護工法の施工順序の説明図。
【符号の説明】
【００１６】
Ａ：支圧板
１：十字枠
２：外枠
３：ボルト穴
４：アンカー材
８：植生基材
【図１】
2010138630.tif 000003
【図２】
2010138630.tif 000004
【図３】
2010138630.tif 000005
【図４】
2010138630.tif 000006
【図５】
2010138630.tif 000007
【図６】
2010138630.tif 000008